(57)【要約】【課題】  居室の利用者が、入口灯などの照明を消灯したまま退室しても、入室したときに照明が強制的にオン状態となり、居室内の入口近傍が暗いままでスイッチを探し点灯操作する必要がない電源供給システムを提供すること。【解決手段】  負荷機器のうち予め特定された特定負荷機器１７が、主電源スイッチ２３を電源遮断状態とした時点における特定負荷機器１７の負荷スイッチ１７ａのオン状態若しくはオフ状態に関わらず、特定オン信号を発信して主電源スイッチ２３を電源供給状態とした時に、強制的にオン状態となる。【選択図】  図２
2007082328.tif 000002
【特許請求の範囲】
【請求項１】
居室内において、個別に電力負荷のオン／オフ状態を入切可能とするオン／オフスイッチを備える複数の負荷機器と、前記複数の負荷機器のうち予め特定された特定負荷機器と、前記負荷機器に電源を供給する主電源用の主電源オン／オフスイッチと、前記居室内の入口近傍に設けられ前記主電源オン／オフスイッチを制御する入退室確認装置と、前記入退室確認装置による入室確認信号を受信して前記特定負荷機器に強制的にオン状態とする特定オン信号を発信する処理装置と、から構成されることを特徴とする電源供給システム。
【請求項２】
前記特定負荷機器が特定負荷機器用オン／オフスイッチを備えており、前記処理装置が、前記入室確認信号を受信した時に、該受信した時点における前記特定負荷機器用オン／オフスイッチのオン状態若しくはオフ状態に関わらず、前記特定負荷機器用オン／オフスイッチをオン状態としてリセットして記憶する請求項１に記載の電源供給システム。
【請求項３】
前記特定負荷機器が少なくとも２個の特定負荷機器用オン／オフスイッチを備えており、前記処理装置が、前記入室確認信号を受信した時に、該受信した時点における夫々の前記特定負荷機器用オン／オフスイッチのオン状態若しくはオフ状態に関わらず、全ての前記特定負荷機器用オン／オフスイッチをオン状態としてリセットして記憶する請求項１または２に記載の電源供給システム。
【請求項４】
前記入退室確認装置による入室確認信号を受信して前記特定負荷機器に強制的にオン状態とする特定オン信号を受けて、前記主電源オン／オフスイッチがオン状態となるようになっている請求項１ないし３のいずれかに記載の電源供給システム。
【請求項５】
前記入退室確認装置が、前記主電源オン／オフスイッチを兼ねている請求項１ないし３のいずれかに記載の電源供給システム。
【請求項６】
前記入退室確認装置が、前記居室内に設けられたキ−ユニットであり、所定の挿入部材を前記キ−ユニットに挿入することにより、前記入室確認信号が発信されるようになっている請求項１ないし５のいずれかに記載の電源供給システム。
【請求項７】
前記処理装置にタイマが接続されており、前記入退室確認装置による退室確認信号を受信した時点から、前記特定オン信号を解除するまでの特定オン信号解除待ち時間を、設定できるようになっている請求項１ないし６のいずれかに記載の電源供給システム。
【請求項８】
前記処理装置にクロックが接続されており、前記クロックにより予め設定された時間帯において、前記処理装置は、前記入退室確認装置による入室確認信号を受信して、該受信した時点における前記特定負荷機器用オン／オフスイッチのオン状態若しくはオフ状態に関わらず、前記特定負荷機器を強制的にオフ状態として、前記特定負荷機器用オン／オフスイッチをオフ状態としてリセットして記憶する請求項１ないし７のいずれかに記載の電源供給システム。
【請求項９】
前記居室内に照度検知手段が設けられており、前記照度検知手段により検知された照度に応じて、前記処理装置は、前記入退室確認装置による入室確認信号を受信して、該受信した時点における前記特定負荷機器用オン／オフスイッチのオン状態若しくはオフ状態に関わらず、前記特定負荷機器を強制的にオフ状態として、前記特定負荷機器用オン／オフスイッチをオフ状態としてリセットして記憶する請求項１ないし８のいずれかに記載の電源供給システム。
【発明の詳細な説明】
【技術分野】
【０００１】
本発明は、居室内において、個別に電力負荷のオン／オフ状態を入切可能とするオン／オフスイッチを備える複数の負荷機器と、負荷機器に電源を供給する主電源用の主電源オン／オフスイッチと、居室内の入口近傍に設けられ主電源オン／オフスイッチを制御する入退室確認装置と、から構成される電源供給システムに関する。
【背景技術】
【０００２】
従来の電源供給ユニットは、電源と負荷機器との間に処理装置が構成されており、処理装置の制御により、負荷機器への電源の供給をしている（例えば、特許文献１参照）。
【０００３】
【特許文献１】特開２００４−２１５４１１号公報（第４頁、第１図）
【発明の開示】
【発明が解決しようとする課題】
【０００４】
例えばホテルの客室等において上記した電源供給ユニットを構成する場合、キーを客室内のキーユニットに挿入することで、客室内に電源が供給されるシステムが、従来多く採用されている。また、客室内の入口灯などの負荷機器をオン／オフ操作するに、客室内のベッド付近及び入口近傍などに配設された複数のスイッチが併用して用いられる場合があった。
【０００５】
しかしながら、ホテルの客室等において上記した特許文献１のような電源供給ユニットを構成する場合、客室の利用者が、昼間に入口灯を消灯して外出した場合には、夜間において入室するときにキーを挿入しても、入口灯が点灯しないため入口近傍が暗いままでスイッチを探して点灯操作する必要があった。
【０００６】
本発明は、このような問題点に着目してなされたもので、居室の利用者が、入口灯などの照明を消灯したまま退室しても、入室したときに居室内の入口近傍を明るく点灯できる電源供給システムを提供することを目的とする。
【課題を解決するための手段】
【０００７】
上記課題を解決するために、本発明の請求項１に記載の電源供給システムは、居室内において、個別に電力負荷のオン／オフ状態を入切可能とするオン／オフスイッチを備える複数の負荷機器と、前記複数の負荷機器のうち予め特定された特定負荷機器と、前記負荷機器に電源を供給する主電源用の主電源オン／オフスイッチと、前記居室内の入口近傍に設けられ前記主電源オン／オフスイッチを制御する入退室確認装置と、前記入退室確認装置による入室確認信号を受信して前記特定負荷機器に強制的にオン状態とする特定オン信号を発信する処理装置と、から構成されることを特徴としている。
この特徴によれば、居室の利用者が、特定負荷機器（照明）を消灯したまま退室しても、入退室確認装置により入室が確認された時点で、特定負荷機器（照明）が強制的にオン状態となるため、居室内の入口近傍が暗いままでスイッチを探し点灯操作する必要がない。
【０００８】
本発明の請求項２に記載の電源供給システムは、請求項１に記載の電源供給システムであって、前記特定負荷機器が特定負荷機器用オン／オフスイッチを備えており、前記処理装置が、前記入室確認信号を受信した時に、該受信した時点における前記特定負荷機器用オン／オフスイッチのオン状態若しくはオフ状態に関わらず、前記特定負荷機器用オン／オフスイッチをオン状態としてリセットして記憶することを特徴としている。
この特徴によれば、入退室確認装置により入室が確認された時点における特定負荷機器用オン／オフスイッチの切替え状態に関わらず、入室してから特定負荷機器（照明）を改めてオン／オフ切替えできる。
【０００９】
本発明の請求項３に記載の電源供給システムは、請求項１または２に記載の電源供給システムであって、前記特定負荷機器が少なくとも２個の特定負荷機器用オン／オフスイッチを備えており、前記処理装置が、前記入室確認信号を受信した時に、該受信した時点における夫々の前記特定負荷機器用オン／オフスイッチのオン状態若しくはオフ状態に関わらず、全ての前記特定負荷機器用オン／オフスイッチをオン状態としてリセットして記憶することを特徴としている。
この特徴によれば、入室後にいずれの特定負荷機器用オン／オフスイッチを操作しても、特定負荷機器（照明）のオン／オフを切替できる。
【００１０】
本発明の請求項４に記載の電源供給システムは、請求項１ないし３のいずれかに記載の電源供給システムであって、前記入退室確認装置による入室確認信号を受信して前記特定負荷機器に強制的にオン状態とする特定オン信号を受けて、前記主電源オン／オフスイッチがオン状態となるようになっていることを特徴としている。
この特徴によれば、主電源オン／オフスイッチが、特定オン信号の発信により接続されるようになっており、１つの信号で特定負荷機器のみでなく負荷機器も管理できる。
【００１１】
本発明の請求項５に記載の電源供給システムは、請求項１ないし３のいずれかに記載の電源供給システムであって、前記入退室確認装置が、前記主電源オン／オフスイッチを兼ねていることを特徴としている。
この特徴によれば、前記入退室確認装置が、前記主電源オン／オフスイッチを兼ねており、処理装置を介さずに、負荷機器に電源を供給できるため、負荷機器と入退室確認装置とからなる既存の電源供給システムを利用して、少ない配線手間で、新規に特定負荷機器（照明）と処理装置とを設置することもできる。
【００１２】
本発明の請求項６に記載の電源供給システムは、請求項１ないし５のいずれかに記載の電源供給システムであって、前記入退室確認装置が、前記居室内に設けられたキ−ユニットであり、所定の挿入部材を前記キ−ユニットに挿入することにより、前記入室確認信号が発信されるようになっていることを特徴としている。
この特徴によれば、既存のキーユニットに挿入部材を挿入する操作のみで、他に特段の操作を要することなく、強制的に特定負荷機器（照明）をオン状態とすることができる。
【００１３】
本発明の請求項７に記載の電源供給システムは、請求項１ないし６のいずれかに記載の電源供給システムであって、前記処理装置にタイマが接続されており、前記入退室確認装置による退室確認信号を受信した時点から、前記特定オン信号を解除するまでの特定オン信号解除待ち時間を、設定できるようになっていることを特徴としている。
この特徴によれば、入退室確認装置により退室が確認された時点から、特定オン信号解除待ち時間は、特定負荷機器（照明）への電源が供給されるため、居室内が明るい状態のまま退室することができる。
【００１４】
本発明の請求項８に記載の電源供給システムは、請求項１ないし７のいずれかに記載の電源供給システムであって、前記処理装置にクロックが接続されており、前記クロックにより予め設定された時間帯において、前記処理装置は、前記入退室確認装置による入室確認信号を受信して、該受信した時点における前記特定負荷機器用オン／オフスイッチのオン状態若しくはオフ状態に関わらず、前記特定負荷機器を強制的にオフ状態として、前記特定負荷機器用オン／オフスイッチをオフ状態としてリセットして記憶することを特徴としている。
この特徴によれば、照度の高い高照度時間帯において、特定負荷機器（照明）を強制的にオフ状態とすることができるため、消費電力が節約される。
【００１５】
本発明の請求項９に記載の電源供給システムは、請求項１ないし８のいずれかに記載の電源供給システムであって、前記居室内に照度検知手段が設けられており、前記照度検知手段により検知された照度に応じて、前記処理装置は、前記入退室確認装置による入室確認信号を受信して、該受信した時点における前記特定負荷機器用オン／オフスイッチのオン状態若しくはオフ状態に関わらず、前記特定負荷機器を強制的にオフ状態として、前記特定負荷機器用オン／オフスイッチをオフ状態としてリセットして記憶することを特徴としている。
この特徴によれば、居室内における所定の照度に応じて、特定負荷機器（照明）を強制的にオフ状態とすることができるため、消費電力が節約される。
【発明を実施するための最良の形態】
【００１６】
本発明の第１実施例を以下に説明する。
【実施例１】
【００１７】
本実施例を図面に基づいて説明すると、先ず図1は、本発明の第１実施例における客室内に配設される電源供給システムを示す概略平面図である。図２は、同じく制御ユニットの配線の状況を示す概略図である。図３は、キーユニットを示す正面図である。図４は、第１実施例における処理装置の処理の状況を示すフロー図である。図５は、第１変形例における制御ユニットの配線の状況を示す概略図である。図６は、第２変形例における制御ユニットの配線の状況を示す概略図である。
【００１８】
先ず、図1に示されるように、本発明の実施例としての電源供給システムの構成が示される。本発明の居室であるホテルの客室１は、カードキーにて開錠可能な開閉扉５で入退室でき、客室１内は、バス２とデスク３とベッド４、４とが配設されている。
【００１９】
次に、客室１内における配線の状況について説明すると、図２に示されるように、客室１内において、客室１外部から供給される交流１００ボルトを供給する主電源ケーブルが、制御ユニット２０の端子ｓ１、ｓ２に接続されている。
【００２０】
また、制御ユニット２０の端子ｓ３、ｓ４及びｓ５、ｓ６に接続された交流ケーブルにて、交流１００ボルトの負荷機器であって照明であるバス灯１１、デスク灯１２、ベッド灯１３、室内灯１４と、テレビ１５及び空調機１６に夫々接続されており、制御ユニット２０に内蔵されている処理装置２１により、後述する電源供給状態において処理装置２１を介して電源が供給されるようになっている。
【００２１】
また、客室１内におけるこれら負荷機器は、個別に電力負荷のオン状態若しくはオフ状態を入切可能とする図示しないオン／オフスイッチを有しており、客室１内において適宜個別に上述した照明、テレビ１５若しくは空調機１６を入切できるようになっている。
【００２２】
更に、本実施例における特定負荷機器（照明）である入口灯１７は、制御ユニット２０の入口灯出力端子ｔ１、ｔ２と交流ケーブルにて接続されており、別途制御ユニット２０のスイッチ端子ｔ３、ｔ４とスイッチケーブルにて接続される本発明の特定負荷機器用オン／オフスイッチであって波形スイッチである入口灯スイッチ１７ａを切替操作することで、図２に示される切替信号を受信した制御ユニット２０の処理装置２１が、入口灯１７に特定オン信号を発信することにより、主電源スイッチ２３が接続され、入口灯１７にオン／オフ切替可能に電源が供給される。また、後述する客室１への入室時において、他の負荷機器とは異なる点灯方式に基づいて点灯可能となっている。
【００２３】
また、客室１の入口部１ａ近傍の壁面には、図３に示されるように、本発明の入室確認装置であって、表示部１０ａとキー挿入部１０ｂとを有するキーユニット１０が設けられており、制御ユニット２０の端子ｔ５、ｔ６と信号線により接続されている。
【００２４】
次に、入退室時における客室１内の電源の入切状態について、図２ないし図５に基づいて説明する。
【００２５】
先ず、客室１の利用者が、客室１内に滞在している状態において、本発明の挿入部材である図示しないカードキーが、図３に示されるキーユニット１０のキー挿入部１０ｂに挿入されており（図４ｓａ０１）、該挿入により図２に示されるように、キーユニット１０から制御ユニット２０に内蔵される処理装置２１に向かって、入室確認信号が発信されている。処理装置２１は、該入室確認信号の受信によりオン信号及び特定オン信号を発信して（ｓａ０２、ｓａ０６）、客室１内の負荷機器及び特定負荷機器に主電源が供給されている。客室１の利用者は、室内灯１４などの各種の照明やテレビ１５若しくは空調機１６を、夫々のオン／オフスイッチの入切操作する（ｓａ０３）ことにより、個別にオン状態（ｓａ０４）若しくはオフ状態（ｓａ０５）とすることができる。
【００２６】
利用者が、客室１から退室する際に、カードキーをキーユニット１０から取出し持参して退室する。開閉扉５は公知のオートロックシステムにより、特にカードキーによる施錠操作することなく、閉扉した時に自動に施錠されるようになっている。また、本実施例において前記退室時は昼間であり、利用者は全ての照明及びテレビ１５のオン／オフスイッチを個別に操作（ｓａ０３）してオフ状態（ｓａ０５）とし、空調機１６のオン／オフスイッチはオン状態（ｓａ０４）であり送風された状態のまま、カードキーをキーユニット１０から取出し、退室するものとする。
【００２７】
該退室時にカードキーをキーユニット１０のキー挿入部１０ｂから取り出して、前記入室確認信号が解除することにより、処理装置２１が前記オン信号及び特定オン信号を解除して（ｓａ１１）、該解除した時点における負荷機器の個別のオン状態（ｓａ０４）若しくはオフ状態（ｓａ０５）を保持したまま、主電源オン／オフスイッチ２２を開いて電源遮断状態とし、処理装置２１から客室１内の全ての負荷機器への電源の供給が解除されるため、空調機１６のオン／オフスイッチはオン状態（ｓａ０４）のまま、送風は停止する。また、カードキーをキー挿入部１０ｂから取り出すことにより、それまで滅灯していた表示部１０ａが点滅するようになっている。
【００２８】
退室後、客室１内に未だ利用者が入室していない状態において、開閉扉５は施錠されており、客室１内の全ての負荷機器に電源が供給されていない電源遮断状態となっている。
【００２９】
次に、上述の状態で退室した客室１に、夜間において利用者が入室する際に、施錠された開閉扉５の客室１外部に面する側面に設けられた挿入口５ａにカードキーを挿入することにより、開閉扉５を開錠して、客室１内の入口部１ａ近傍の壁面に設けられたキーユニット１０のキー挿入部１０ｂに、カードキーを挿入する（ｓａ０１）。
【００３０】
尚、該入室時は夜間であって、キー挿入部１０ｂにカードキーを挿入するまで、未だ客室１内に電源が供給されておらず、客室１内は真暗であるが、上述のようにキーユニット１０の表示部１０ａが点滅しているため、利用者はキーユニット１０の位置を認識してカードキーをキー挿入部１０ｂに挿入することができる。また、カードキーをキー挿入部１０ｂに挿入することにより表示部１０ａは滅灯するようになっている。
【００３１】
カードキーをキー挿入部１０ｂに挿入する（ｓａ０１）ことで、制御ユニット２０の処理装置２１に前記入室確認信号が発信され、処理装置２１が前記オン信号及び特定オン信号を発信する（ｓａ０２、ｓａ０６）ことで、主電源オン／オフスイッチ２２、２３を接続して電源供給状態とし、客室１内の全ての負荷機器及び特定負荷機器に電源が供給される。この時に、上述したように退室時にオン状態（ｓａ０４）のまま電源の供給が停止された空調機１６に、電源が供給されて送風が開始される。利用者は、客室１内において個別に負荷機器のオン／オフスイッチをオン／オフ操作できるようになる。
【００３２】
また、本発明の特定負荷機器である入口灯１７の入口灯スイッチ１７ａが、上述した退室時（ｓａ１１）にオフ状態（ｓａ１０）であったにも関わらず、カードキーをキー挿入部１０ｂに挿入し（ｓａ０１）、処理装置２１による特定オン信号の発信（ｓａ０６）により、強制的に入口灯１７が点灯される（ｓａ０７）。該点灯で、入室時に真暗であった客室１内の入口部１ａの周辺が照らされることにより、利用者は、室内灯１４などの他の照明若しくはテレビ１５等の負荷機器のオン／オフスイッチを、必要に応じて個別に入切操作（ｓａ０３）できる。
【００３３】
更に、入口灯スイッチ１７ａが、退室時（ｓａ１１）にオフ状態（ｓａ１０）であった場合でも、入室時にカードキーをキー挿入部１０ｂに挿入する（ｓａ０１）ことにより、前記入室確認信号を受信した処理装置２１が、特定オン信号を発信する（ｓａ０６）ようになっており、該特定オン信号により、入口灯１７が点灯される（ｓａ０７）。
【００３４】
即ち、処理装置２１が特定オン信号を発信する（ｓａ０６）ことで、主電源オン／オフスイッチ２３を開いて電源遮断状態とした時点における入口灯スイッチ１７ａのオン状態（ｓａ０９）若しくはオフ状態（ｓａ１０）に関わらず、入口灯１７の入口灯スイッチ１７ａのオン操作を要することなく、強制的にオン状態とする（ｓａ０７）ことができる。
【００３５】
尚、上述した入口灯１７を強制的にオン状態とするとは、本実施例で波形スイッチである入口灯スイッチ１７ａが、物理的にオン状態に動作するのでなく、入口灯スイッチ１７ａの物理的な動作位置に関わらず、入口灯１７を強制的に点灯するという意味である。
【００３６】
また、上述したような公知のキー操作である、入室時にカードキーをキーユニット１０に挿入する操作（ｓａ０１）をすることで、前記入室確認信号を受信した処理装置２１が、特定オン信号を発信して（ｓａ０６）入口灯１７をオン状態とする（ｓａ０７）ようになっており、このようにすることで、客室１から退室時における入口灯スイッチ１７ａのオン状態（ｓａ０９）若しくはオフ状態（ｓａ１０）に関わらず、既存のキーユニット１０にカードキーを挿入する操作のみで、他に特段の操作を要することなく、強制的に入口灯１７をオン状態とする（ｓａ０７）ことができる。
【００３７】
即ち、利用者が、入口灯１７を消灯したまま退室しても、キーユニット１０により入室が確認された時点で、入口灯１７が強制的にオン状態となるため、客室１内の入口部１ａが暗いままで入口灯スイッチ１７ａを探し点灯操作する必要がない。
【００３８】
また、処理装置２１が、カードキーの挿入による前記入室確認信号を受信した時に、該受信した時点における入口灯スイッチ１７ａのオン状態若しくはオフ状態に関わらず、オン状態としてリセットして記憶するようになっている。このようにすることで、入室確認信号を受信した時点における入口灯スイッチ１７ａの切替え状態に関わらず、客室１に入室してから入口灯１７を改めてオン／オフ切替え（ｓａ０８）できる。
【００３９】
前記入室後に１回目に入口灯スイッチ１７ａを切り替える（ｓａ０８、Ｎ＝１）ことにより、入口灯１７を、オフ状態とする（ｓａ１０）ことができる。以下同様に、前記入室後に２回目、３回目、‥と入口灯スイッチ１７ａを切り替える（ｓａ０８、Ｎ＝２、３、‥）ことにより、入口灯１７を、順次オン状態（ｓａ０９）とオフ状態と（ｓａ１０）に切り替えることができる。
【００４０】
尚、本発明の第１変形例として図５に示されるように、本発明の特定負荷機器である入口灯１７の入口灯スイッチ１７ａ、１７ｂは、必ずしも一つに限らず、複数備えられていてもよい。該複数備えられていた場合には、夫々が個別に端子ｔ３、ｔ４及びｔ３’、ｔ４’を介して処理装置２１に接続されており、処理装置２１が入室確認信号を受信した時に、該受信した時点における夫々の入口灯スイッチのオン状態若しくはオフ状態に関わらず、全ての入口灯スイッチ１７ａ、１７ｂをオン状態としてリセットして記憶し、入室後に１つの入口灯スイッチ１７ａ（１７ｂ）の切替信号によるオン／オフ操作情報は、他の全ての入口灯スイッチ１７ｂ（１７ａ）に適用されるようになっている。
【００４１】
このようにすることで、入室後にいずれの入口灯スイッチ１７ａ、１７ｂを操作しても、入口灯１７のオン／オフを切替できる。
【００４２】
また、図５に示されるように、本実施例の主電源オン／オフスイッチ２２は、特定オン信号の発信により接続されるようになっていてもよい。このようにすることで、１つの特定オン信号のみで別段の信号等を要することなく、入口灯１７のみでなく他の負荷機器にも管理できる。
【００４３】
また、本実施例の負荷機器は、前記入室確認信号を受信した処理装置２１が、主電源オン／オフスイッチ２２にオン信号を発信することにより、電源供給状態となっているが、本発明の負荷機器は、処理装置２１を介して電源供給状態となるに限られず、例えば本発明の第２変形例として図６に示されるように、キーユニット１０’が、主電源オン／オフスイッチ２２’を兼ねており、カードキーをキーユニット１０’に挿入することにより、主電源オン／オフスイッチ２２’が入切動作してもよい。
【００４４】
このようにすることで、処理装置を介さずに、負荷機器に電源を供給できるため、負荷機器とキーユニットからなる既存の電源供給システムが客室に備えられている場合でも、該既存の電源供給システムを利用して、少ない配線手間で、新規に特定負荷機器と処理装置とを設置することもできる。
【００４５】
次に、本発明の第２実施例について説明する。上述した第１実施例における説明と重複する部分については、説明を省略する。
【実施例２】
【００４６】
本実施例を図面に基づいて説明すると、図７は、第２実施例における制御ユニットの配線の状況を示す概略図である。図８は、同じく処理装置の処理の状況を示すフロー図である。
【００４７】
図７に示されるように、本実施例における処理装置２１には、タイマ２４が接続されており、タイマ２４により後述する特定オン信号解除待ち時間及びオン信号解除待ち時間を、予め可変に設定できるようになっている。本実施例で特定オン信号解除待ち時間は２０秒に設定され、またオン信号解除待ち時間は１５秒に設定されているものとする。
【００４８】
利用者は、電源供給状態における客室１内の室内灯１４及び入口灯１７をオン状態（図８ｓｂ０４、ｓｂ０９）として室内を照らした状態のまま、客室１から退室するべく、入口部１ａにおいてカードキーをキーユニット１０の挿入部１０ｂから取り出して、開閉扉５を開閉して客室１から退室する。上述した実施例１と同様に、カードキーを挿入部１０ｂから取り出すことにより、処理装置２１がキーユニット１０からの退室確認信号を受信する（ｓｂ０１）。また本実施例において、利用者がカードキーをキーユニット１０から取り出してから客室１から退室するまで、１０秒程度であるとする。
【００４９】
カードキーをキー挿入部１０ｂから該取り出して、処理装置２１がキーユニット１０からの退室確認信号を受信した時点（ｓｂ０１）から、予め設定されたオン信号解除待ち時間（本実施例では１５秒に設定）の経過（ｓｂ１２）後に、処理装置２１がオン信号を解除し（ｓｂ１３）、客室１内の負荷機器への電源の供給が停止されるようになっている。
【００５０】
同様に、処理装置２１がキーユニット１０からの退室確認信号を受信した時点（ｓｂ０１）から、予め設定された特定オン信号解除待ち時間（本実施例では２０秒に設定）の経過（ｓｂ１４）後に、処理装置２１が特定オン信号を解除し（ｓｂ１５）、客室１内の特定負荷機器への電源の供給が停止されるようになっている。
【００５１】
このようにすることで、カードキーをキー挿入部１０ｂから取り出した（ｓｂ０１）直後には、負荷機器及び特定負荷機器への電源の供給が遮断されることがなく、オン信号解除待ち時間（１５秒）、特定オン信号解除待ち時間（２０秒）の経過（ｓｂ１２、ｓｂ１４）後に主電源オン／オフスイッチ２２、２３が開いて電源遮断状態となるため、利用者がカードキーをキー挿入部１０ｂから取り出してから退室までの時間（１０秒）には、未だ負荷機器及び特定負荷機器に電源を供給することができる。
【００５２】
特に、本実施例のように、夜間に退室する等の場合においては、入口灯１７等が点灯し客室１内が明るい状態のまま退室できることが、利用者にとってより快適であって好ましいため、カードキーをキーユニット１０から取り出してから、僅かの時間（数十秒程度）は、客室１内に電源が供給され続ける（ｓｂ０４、ｓｂ０９）ことが望まれる。
【００５３】
また、前記設定時間は、可変に設定できるものであって、本実施例では０秒から３０秒まで５秒きざみに設定することができる。即ち設定時間を０秒とした場合は、カードキーをキーユニット１０から取り出した直後に、処理装置２１から客室１内の負荷機器への電源の供給が停止される。
【００５４】
更に、特定オン信号解除待ち時間を、オン信号解除待ち時間よりも長く設定できるために、特に夜間など客室１内の照度の低い場合に、退室時において電源が供給される状態であることが、より好ましい特定負荷機器に電源を供給することができる。
【００５５】
尚、本発明のタイマは、特定負荷機器の特定オン信号解除待ち時間を設定できるものであればよく、負荷機器のオン信号解除待ち時間を設定するものでなくとも構わない。
【００５６】
次に、本発明の第３実施例について説明する。上述した第１実施例及び第２実施例における説明と重複する部分については、説明を省略する。
【実施例３】
【００５７】
本実施例を図面に基づいて説明すると、図９は、第３実施例における制御ユニットの配線の状況を示す概略図である。図１０は、同じく処理装置の処理の状況を示すフロー図である。図１０においては、負荷機器のオン／オフ切替えについては図４のステップｓａ０２〜ｓａ０５と同様であるため、図示を省略している。
【００５８】
本実施例における客室１内の図示しない壁面には、客室１内の照度を検知して処理装置２１に照度信号を出力する図９に示される照度検知器２７が設けられている。照度検知器２７は直流電源を内蔵しており、客室１内が電源遮断状態においても、客室１内の照度を検知できるようになっている。また処理装置２１には、クロック２５が接続されており、クロック２５により客室１内における照度の高い高照度時間帯を、予め可変に設定できるようになっている。本実施例において前記高照度時間帯は、９：００〜１７：００に設定されているものとする。
【００５９】
上述した実施例と同様に、利用者がカードキーをキーユニット１０から取り出し（図１０ｓｃ０１）て客室１から退室後、客室１内に未だ利用者が入室していない状態において、開閉扉５は施錠されており、客室１内の全ての負荷機器に電源が供給されていない電源遮断状態となっている。
【００６０】
次に、上述の状態で退室した客室１に、昼間（本実施例では１３：００）において利用者が入室する。尚、該入室時は１３：００であって、キー挿入部１０ｂにカードキーを挿入するまで、未だ客室１内に電源が供給されておらず照明は点灯していないが、照度検知器２７により検知される客室１内の照度は十分に高いものであるとする。
【００６１】
カードキーをキー挿入部１０ｂに挿入する（ｓｃ０１）ことで、処理装置２１に前記入室確認信号が発信される。入室確認信号が該発信された時点（１３：００）が、予め設定された前記高照度時間帯の範囲内であるか、または照度検知器２７により検知され、処理装置２１に照度信号として送信される客室１内の照度が、所定値よりも高い場合（ｓｃ０２）には、処理装置２１が、特定オン信号を解除する（ｓｃ０３）ようになっている。
【００６２】
このようにすることで、予め可変に設定された高照度時間帯において、特定負荷機器である入口灯１７を強制的にオフ状態とする（ｓｃ０４）ことができ、消費電力が節約される。同様に、照度検知器２７にて検知された客室１内の照度に応じて、特定負荷機器である入口灯１７を強制的にオフ状態とする（ｓｃ０４）ことができ、消費電力が節約される。
【００６３】
また、処理装置２１が、カードキーの挿入による前記入室確認信号を受信した時に、該受信した時点における入口灯スイッチ１７ａのオン状態若しくはオフ状態に関わらず、オフ状態としてリセットして記憶するようになっている。このようにすることで、入室確認信号を受信した時点における入口灯スイッチ１７ａの切替え状態に関わらず、客室１に入室してから入口灯１７を改めてオン／オフ切替えできる。
【００６４】
前記入室後に１回目に入口灯スイッチ１７ａを切り替える（ｓｃ０５、Ｎ＝１）ことにより、入口灯１７を、オン状態とする（ｓｃ０７）ことができる。以下同様に、前記入室後に２回目、３回目、‥と入口灯スイッチ１７ａを切り替える（ｓｃ０５、Ｎ＝２、３、‥）ことにより、入口灯１７を、順次オフ状態（ｓｃ０６）とオン状態と（ｓｃ０７）に切り替えることができる。
【００６５】
尚、処理装置２１が、カードキーの挿入（ｓｃ０１）による前記入室確認信号を受信した時に、前記高照度時間帯の範囲内でなく、且つ照度検知器２７により検知される客室１内の照度が、前記所定値に達していない場合（ｓｃ０２）には、実施例１と同様に、特定オン信号を発信して（ｓｃ０８）入口灯１７を強制的にオン状態とし（ｓｃ０９）、処理装置２１が、オン状態としてリセットして記憶するようになる。
【００６６】
また、本実施例では、クロック２５による前記高照度時間帯の範囲及び照度検知器２７で検知された客室１内の照度により、入口灯１７を強制的にオフ状態（ｓｃ０４）とするようになっているが、本発明は本実施例に限らず、クロックのみ若しくは照度検知手段のみにより、特定負荷機器を強制的にオフ状態とするようにしてもよい。
【００６７】
以上、本発明の実施例を図面により説明してきたが、具体的な構成はこれら実施例に限られるものではなく、本発明の要旨を逸脱しない範囲における変更や追加があっても本発明に含まれる。
【００６８】
例えば、上記実施例でホテルの客室１内において電源供給システムが機能しているが、本発明の電源供給システムが機能する居室は、入退室がされる居室であれば特にホテルの客室１である必要はなく、例えばマンション等の住居であってもよいし、会議室など多数人が利用するスペースであってもよい。
【００６９】
また、上記実施例で特定オン信号の発信とは、特定負荷機器をオン状態とする信号を伝達するという意味であれば、実際に信号が発信されていなくともよく、例えば特定オン信号の発信とは、特定オフ信号が解除される状態であってもよい。
【００７０】
また、上記実施例でカードキーは、公知のオートロックシステムが採用され退室時の施錠操作が不要になっているが、本発明の挿入部材は、カードキーに限らずスティックキーなど形状は何でもよいし、例えば開閉扉の外面など客室の外部に配設された操作盤に予め特定された特定暗号を入力操作することにより、開錠可能なキーであって、該入力操作により前記オン信号が発信されてもよい。また、オートロックシステムは、特段に採用されていなくてもよい。
【００７１】
また、上記実施例では、カードキーをキーユニットに挿入することにより、前記特定オン信号が発信され、特定負荷機器をオン状態とするが、本発明の特定オン信号は、必ずしもキーをキーユニットに挿入することにより発信されるに限られず、他の入力動作により発信されるものであっても構わない。
【００７２】
また、上記実施例では、客室１内において、照明類、テレビ及び空調機からなる複数の負荷機器のうち、室内灯１７が特定負荷機器として構成されているが、本発明の特定負荷機器は、負荷機器のうち一部に限らず全部であっても構わない。
【図面の簡単な説明】
【００７３】
【図１】本発明の第１実施例における客室内に配設される電源供給システムを示す概略平面図である。
【図２】同じく制御ユニットの配線の状況を示す概略図である。
【図３】キーユニットを示す正面図である。
【図４】第１実施例における処理装置の処理の状況を示すフロー図である。
【図５】第１変形例における制御ユニットの配線の状況を示す概略図である。
【図６】第２変形例における制御ユニットの配線の状況を示す概略図である。
【図７】第２実施例における制御ユニットの配線の状況を示す概略図である。
【図８】同じく処理装置の処理の状況を示すフロー図である。
【図９】第３実施例における制御ユニットの配線の状況を示す概略図である。
【図１０】同じく処理装置の処理の状況を示すフロー図である。
【符号の説明】
【００７４】
１                客室（居室）
１ａ              入口部
２                バス
３                デスク
４                ベッド
５                開閉扉
５ａ              挿入口
１０、１０’      キーユニット（入退室確認装置）
１０ａ            表示部
１０ｂ            挿入部
１１              バス灯（負荷機器）
１２              デスク灯（負荷機器）
１３              ベッド灯（負荷機器）
１４              室内灯（負荷機器）
１５              テレビ（負荷機器）
１６              空調機（負荷機器）
１７              入口灯（特定負荷機器）
１７ａ、１７ｂ    入口灯スイッチ（特定負荷機器用オン／オフスイッチ）
２０              制御ユニット
２１              処理装置
２２、２２’      主電源オン／オフスイッチ
２３              主電源オン／オフスイッチ
２４              タイマ
２５              クロック
２７              照度検知器
ｓ１〜ｓ６        端子
ｔ１〜ｔ８        端子
【図１】
2007082328.tif 000003
【図２】
2007082328.tif 000004
【図３】
2007082328.tif 000005
【図４】
2007082328.tif 000006
【図５】
2007082328.tif 000007
【図６】
2007082328.tif 000008
【図７】
2007082328.tif 000009
【図８】
2007082328.tif 000010
【図９】
2007082328.tif 000011
【図１０】
2007082328.tif 000012